(57)【要約】【課題】塗布具を構成する液剤容器を簡易に交換可能にすること。【解決手段】不織布からなる塗布部１１を備えるとともに、塗布部１１に液剤を導く中空管１２を備えた塗布部材１０と、液剤を収容したカートリッジ容器２０とを有し、塗布部材１０の中空管１２の先端の切先部１２Ａをカートリッジ容器２０に刺通可能にし、カートリッジ容器２０の液剤を塗布部材１０の塗布部１１に誘導可能にするもの。【選択図】  図３
2004167322.tif 000002
【特許請求の範囲】
【請求項１】
不織布からなる塗布部を備えるとともに、塗布部に液剤を導く中空管を備えた塗布部材と、
液剤を収容したカートリッジ容器とを有し、
塗布部材の中空管の先端に設けてある切先部をカートリッジ容器に刺通可能にし、該カートリッジ容器の液剤を塗布部材の塗布部に誘導可能にするカートリッジ式塗布具。
【請求項２】
前記カートリッジ容器を装填するとともに、塗布部材の中空管を嵌着可能にするホルダを有し、
ホルダは使用済のカートリッジ容器及び塗布部材を押出すプランジャを備えてなる請求項１に記載のカートリッジ式塗布具。
【請求項３】
前記カートリッジ容器が柔かい内袋と硬い外筒からなり、外筒に空気孔を設け、外筒と内袋の間に空気を流入可能にしてなる請求項１又は２に記載のカートリッジ式塗布具。
【請求項４】
前記カートリッジ容器が柔かい内袋だけからなる請求項１又は２に記載のカートリッジ式塗布具。
【請求項５】
前記プランジャがカートリッジ容器の外筒に空気孔を開ける突起部を備えてなる請求項３に記載のカートリッジ式塗布具。
【請求項６】
前記液剤が洗浄液である請求項１〜５のいずれかに記載のカートリッジ式塗布具。
【請求項７】
前記液剤がカラー剤である請求項１〜５のいずれかに記載のカートリッジ式塗布具。
【発明の詳細な説明】
【０００１】
【発明の属する技術分野】
本発明はカートリッジ式塗布具に関する。
【０００２】
【従来の技術】
塗布具として、特許文献１に記載の如く、塗布具本体を液剤の容器とし、この容器の開口部にフェルト芯を設けたものがある。
【０００３】
【特許文献１】
特開２０００−７００８（２頁、図１、図３）
【０００４】
【発明が解決しようとする課題】
塗布具本体を液剤の容器としており、容器の交換性がない。従って、液剤がなくなれば、塗布具の全体を廃棄する。
【０００５】
本発明の課題は、塗布具を構成する液剤容器を簡易に交換可能にすることにある。
【０００６】
【課題を解決するための手段】
請求項１の発明は、不織布からなる塗布部を備えるとともに、塗布部に液剤を導く中空管を備えた塗布部材と、液剤を収容したカートリッジ容器とを有し、塗布部材の中空管の先端に設けてある切先部をカートリッジ容器に刺通可能にし、該カートリッジ容器の液剤を塗布部材の塗布部に誘導可能にするカートリッジ式塗布具である。
【０００７】
【発明の実施の形態】
（第１実施形態）（図１）
図１のカートリッジ式塗布具１Ａは、塗布部材１０とカートリッジ容器２０とを有する。
【０００８】
塗布部材１０は、極細高密度の表面を有する不織布からなる塗布部１１を備えるとともに、塗布部１１に差し設けられて該塗布部１１に液剤を導く中空管１２を備える。塗布部１１は、図示した広幅台形状の平筆型の他、丸筆型、硬い型、柔かい型等の各種形態からなるものを予め用意し、それらを選択使用する。中空管１２は、先端に鋭利な切先部１２Ａを備える。
【０００９】
カートリッジ容器２０は、柔かい内袋２１と硬い外筒２２からなる。内袋２１は外筒２２の開口部の内周に接着等により固着され、洗浄液、カラー剤等の塗布液剤を収容する。外筒２２は１個以上の空気孔２２Ａを予め設け、内袋２１との間に空気を流入可能にし、内袋２１からの液剤流出時に外筒２２内の負圧を解消して内袋２１をつぶれ易くする。
【００１０】
従って、カートリッジ式塗布具１Ａの使用時には、塗布部材１０の中空管１２をカートリッジ容器２０の外筒２２の開口部に液密となるように、きつめに嵌合すると同時に、中空管１２の切先部１２Ａをカートリッジ容器２０の内袋２１に刺通し、内袋２１の液剤を塗布部材１０の中空管１２経由で塗布部１１に誘導する。
【００１１】
カートリッジ式塗布具１Ａによれば以下の作用効果がある。
▲１▼液剤容器をカートリッジ容器２０としてカートリッジ化し、簡易に交換可能にした。塗布部材１０の中空管１２の先端切先部１２Ａをカートリッジ容器２０に刺通するだけで、液剤を塗布部１１に誘導可能にしたから、手を汚さずに液剤を塗布できる。
【００１２】
▲２▼液剤を密閉のカートリッジ容器２０に封止して保管できるから、使用頻度の少ない液剤でも経時的変質を抑えることができる。
【００１３】
▲３▼塗布部材１０の塗布部１１は用途に応じた形状を選ぶことができ、平筆型、丸筆型、硬い型、柔かい型等の塗布部１１を備えた各種塗布部材１０を予め用意し、それらを選択使用できる。広幅塗布部１１によりカートリッジ容器２０から流出してくる大量の液剤を保持し、該液剤を広い面に塗布できる。
【００１４】
▲４▼塗布部材１０の塗布部１１を極細高密度不織布にて構成することにより、カートリッジ容器２０から流出してくる大量の液剤を保持し、該液剤を塗布部１１の全面に均等に行き渡らせて、むらなく塗布できる。
【００１５】
尚、塗布部材１０の塗布部１１を構成するに好適な上述の極細高密度不織布は、極細繊維を使用した高密度不織布であり、極細繊維とは繊維直径が１０μｍ以下の繊維を５０％以上含むことを意味し、高密度とは比容積で１０ｃｍ３／ｇ以下を意味する。
【００１６】
▲５▼カートリッジ容器２０が硬い外筒２２を備えることにより、手に持ち易く、カートリッジ容器２０の取扱性が向上する。外筒２２に空気孔２２Ａを設けることにより、外筒２２の内部の負圧化を解消し、内袋２１がつぶれ易くなって液剤を出易くし、大量の液剤を塗布部材１０の塗布部１１に向けて流出可能にする。
【００１７】
▲６▼外筒２２に空気孔２２Ａを予め設けておけば、塗布部材１０の中空管１２の先端切先部１２Ａを内袋２１に刺通するだけで、上述▲５▼により内袋２１の液剤を素早く出し、液剤を直ちに塗布できる。
【００１８】
（第２実施形態）（図２）
図２のカートリッジ式塗布具１Ｂは、第１実施形態のカートリッジ式塗布具１Ａを構成した塗布部材１０及びカートリッジ容器２０を用いるとともに、ホルダ３０を用いたものである。但し、カートリッジ式塗布具１Ｂを構成する塗布部材１０は、中空管１２の先端側の外周に嵌着スリーブ１３を固定的に備えた。
【００１９】
ホルダ３０は、有底筒状をなし、塗布部材１０が第１実施形態における如くに嵌合されたカートリッジ容器２０を装填するとともに、塗布部材１０の嵌着スリーブ１３を嵌着可能にしている。塗布部材１０の嵌着スリーブ１３は、Ｏリング１４を介することにてホルダ３０に固定的に嵌着可能にする。塗布部材１０の嵌着スリーブ１３とホルダ３０の嵌着部は、Ｏリング１４の他、嵌着スリーブ１３又はホルダ３０に設けられる環状リブ等の係止部を介してそれらを固定的に嵌着するものでも良い。
【００２０】
ホルダ３０は、使用後のカートリッジ容器２０及び塗布部材１０を押出すプランジャ３１を備える。プランジャ３１は、ホルダ３０の底部を貫通し、ホルダ３０の外部に位置する基端部に操作ボタン３１Ａを備え、ホルダ３０の内部に位置する先端部をカートリッジ容器２０（外筒２２）に接する押圧部３１Ｂとする。
【００２１】
カートリッジ式塗布具１Ｂによれば、カートリッジ式塗布具１Ａにおける▲１▼〜▲６▼の作用効果に加え、以下の作用効果がある。
【００２２】
▲１▼ホルダ３０を用いることで手に持ち易くなって塗布作業性が向上するし、プランジャ３１のひと押しで、使用済のカートリッジ容器２０及び塗布部材１０をワンタッチでホルダ３０から押出しでき、手を汚さずに廃棄できる。
【００２３】
▲２▼カートリッジ容器２０と塗布部材１０を同時に廃棄することにより、塗布部材１０において異種液剤が混ざることがない。このとき、カートリッジ容器２０と塗布部材１０（塗布部１１と中空管１２）をプラスチック製としておけば、それらを互いに分別廃棄する必要がない。
【００２４】
（第３実施形態）（図３）
図３のカートリッジ式塗布具１Ｃは、第２実施形態のカートリッジ式塗布具１Ｂを構成しているホルダ３０のプランジャ３１に、カートリッジ容器２０の外筒２２に空気孔２２Ａを開けるニードル状突起部３２を備えたものである。突起部３２は、プランジャ３１の押圧部３１Ｂに突設され、塗布部材１０が第１実施形態における如くに嵌合されたカートリッジ容器２０をホルダ３０に装填したときに、該ホルダ３０に押し込まれてくるカートリッジ容器２０の外筒２２の底部に刺通して空気孔２２Ａを開ける。ホルダ３０は、突起部３２を外筒２２の底部に刺通したまま、プランジャ３１により第２実施形態におけると同様にして使用済のカートリッジ容器２０及び塗布部材１０を押出しできる。
【００２５】
カートリッジ式塗布具１Ｃによれば、カートリッジ式塗布具１Ａにおける▲１▼〜▲６▼、カートリッジ式塗布具１Ｂにおける▲１▼、▲２▼の作用効果に加え、以下の作用効果がある。
【００２６】
ホルダ３０のプランジャ３１がカートリッジ容器２０の外筒２２に空気孔２２Ａを開ける突起部３２を備えているから、ホルダ３０にカートリッジ容器２０を装填すると同時に、外筒２２に空気孔２２Ａを開けることができ、結果として、内袋２１がつぶれ易くなって液剤を塗布部材１０の塗布部１１に向けて出易くする。
【００２７】
尚、カートリッジ式塗布具１Ａ〜１Ｃにおいて、カートリッジ容器２０は柔かい内袋２１だけからなるもの（外筒２２を有さない）でも良い。これによれば、カートリッジ容器２０が柔かい内袋２１だけからなるから、塗布部材１０の中空管１２の先端切先部１２Ａを内袋２１に刺通するだけで、内袋２１の液剤を素早く出し、液剤を直ちに塗布できる。
【００２８】
【発明の効果】
本発明によれば、塗布具を構成する液剤容器を簡易に交換可能にすることができる。
【図面の簡単な説明】
【図１】図１は第１実施形態のカートリッジ式塗布具を示す模式図である。
【図２】図２は第２実施形態のカートリッジ式塗布具を示す模式図である。
【図３】図３は第３実施形態のカートリッジ式塗布具を示す模式図である。
【符号の説明】
１Ａ、１Ｂ、１Ｃ  カートリッジ式塗布具
１０  塗布部材
１１  塗布部
１２  中空管
１２Ａ  切先部
２０  カートリッジ容器
２１  内袋
２２  外筒
２２Ａ  空気孔
３０  ホルダ
３１  プランジャ
３２  突起部
【図１】
2004167322.tif 000003
【図２】
2004167322.tif 000004
【図３】
2004167322.tif 000005